(57)【要約】【課題】簡単な構成により照明器具の隅部の納まりを良くする。【解決手段】照明器具枠体１は横枠材９と縦枠材１０とを組み合わせて四角形枠とし、この照明器具枠体の四隅部にＬ形のコーナー部材２を配置して連結ピン１２と共に隅部の横枠材と縦枠材の突き合わせ端部間を接続し、中央反射板と側面反射板４を照明器具枠体１内に設け、横枠材及び縦枠材の各突き合わせ端部は斜めに切断された切断面と、最先端部が切り落とされて切り欠きとからなり、上記隅部では切断面が互いに対向状態にあると共に、上記切り欠きにより切り欠き開口部１１が形成され、この切り欠き開口部にコーナー部材の嵌合突部２ａが嵌合され、コーナー部材の連結部２ｂが横枠材と縦枠材の突き合わせ端部間に渡されている。【選択図】        図１
2004227982.tif 000002
【特許請求の範囲】
【請求項１】
横枠材と縦枠材とを組み合わせて四角形枠に形成されている照明器具枠体と、この照明器具枠体の隅部に配置してあるコーナー部材と、上記照明器具枠体内に設けてある反射板とを具備しており、
上記照明器具枠体の隅部は上記横枠材及び縦枠材の端部が突き合わされて形成されており、上記各横枠材及び各縦枠材の各突き合わせ端部は斜めに切断された切断面と、最先端部が切り落とされた切り欠きとからなり、上記隅部では横枠材及び縦枠材の切断面が互いに対向状態にあると共に、上記切り欠きにより切り欠き開口部が形成されており、
上記コーナー部材は、嵌合突部とこの嵌合突部から異なる方向に伸びている連結部とからなる平面Ｌ形に形成され、上記嵌合突部が上記照明器具枠体の各隅部の上記切り欠き開口部に嵌合され、上記連結部が結合手段によって上記各横枠材及び各縦枠材の突き合わせ端部間を接続している
ことを特徴とする照明器具。
【請求項２】
横枠材及び縦枠材の突き合わせ端部における各切断面は４５°斜めに切断されていることを特徴とする請求項１記載の照明器具。
【請求項３】
各横枠材及び各縦枠材はアルミ押出し部材から構成されていることを特徴とする請求項１又は請求項２記載の照明器具。
【請求項４】
コーナー部材及び反射板のうち、少なくとも反射板は、アルミ部材からなることを特徴とする請求項１、請求項２又は請求項３記載の照明器具。
【請求項５】
照明器具枠体の背面には、横枠材及び縦枠材の底部側を連結固定するための背板を配置してあることを特徴とする請求項１乃至請求項４のいずれかに記載の照明器具。
【請求項６】
照明器具枠体の背面には、横枠材及び縦枠材の底部側を連結固定するための背板を配置してあり、この背板に反射板を支持するための掛止め保持具を取り付けていることを特徴とする請求項１乃至請求項４のいずれかに記載の照明器具。
【請求項７】
反射板は中央反射板とこの中央反射板を挟んで配置されている側面反射板とからなることを特徴とする請求項１乃至請求項６のいずれかに記載の照明器具。
【請求項８】
反射板は中央反射板とこの中央反射板を挟んで配置されている側面反射板とからなり、各横枠材及び各縦枠材には板支持溝が設けられており、各板支持溝は上記照明器具枠体の全周に亘って連続されており、上記側面反射板の幅方向の片側端部が上記板支持溝に差し込まれ保持されていることを特徴とする請求項１乃至請求項６のいずれかに記載の照明器具。
【請求項９】
照明器具枠体の背面には横枠材及び縦枠材の底部側を連結固定するための背板を配置してあり、この背板に掛止め保持具を取り付けてあり、各横枠材及び各縦枠材には板支持溝が設けられており、各板支持溝は上記照明器具枠体の全周に亘って連続されており、反射板は中央反射板とこの中央反射板を挟んで配置されている側面反射板とからなり、上記中央反射板は上記掛止め保持具に掛け止められており、上記側面反射板の幅方向の片側端部が上記板支持溝に差し込まれ保持されていることを特徴とする請求項１乃至請求項４のいずれかに記載の照明器具。
【請求項１０】
横枠材及び縦枠材は外周側に張出し部を設けて照明器具枠体の開口縁を形成しており、上記照明器具枠体の各隅部における張出し部の背面上にコーナー部材を配置してあることを特徴とする請求項１乃至請求項９のいずれかに記載の照明器具。
【請求項１１】
横枠材及び縦枠材は側枠部、張出し部及び背面部を設けてあり、上記側枠部、張出し部及び背面部はそれぞれ照明器具枠体の外周側壁、開口縁及び底部を構成しており、上記照明器具枠体の各隅部における張出し部の背面上にコーナー部材を配置してあることを特徴とする請求項１乃至請求項９のいずれかに記載の照明器具。
【請求項１２】
結合手段は連結ピンであって、コーナー部材の連結部に開けられているピン孔並びに横枠材及び縦枠材の突き合わせ端部に開けられているピン孔に挿入可能であることを特徴とする請求項１乃至請求項１１記載の照明器具。
【請求項１３】
アルミ押出し基材から平面四角形の照明器具枠体を組み立てるために用いる横枠材及び縦枠材に対応する寸法の横枠基材及び縦枠基材をそれぞれ一対ずつ切断し、切断方向は上記アルミ押出し基材の長さ方向に対して４５°の角度であり、
切断後、上記横枠基材と縦枠基材の各端部の先端部を切り落として切り欠きを有する横枠材及び縦枠材を製作し、
その後、上記横枠材と縦枠材の各端部の切断面を突き合わせてから、突き合わせ端部間に上記切り欠きにより形成されている切り欠き開口部にコーナー部材の嵌合突部を嵌め込んで連結部と結合手段とによって上記横枠材と縦枠材の突き合わせ端部間を接続して照明器具枠体を組み立て、
組立て後、上記照明器具枠体内に中央反射板を配置すると共にこの中央反射板の両側に側面反射板を配置し、側面反射板の幅方向の片側端部を上記横枠材と縦枠材の内周に設けてある板支持溝に差し入れる
ことを特徴とする照明器具の製法。
【発明の詳細な説明】
【０００１】
【発明の属する技術分野】
本発明は、例えば天井埋込み型照明器具、直付け型照明器具などの照明器具及びその製法に関するものである。
【０００２】
【従来の技術】
一般に、例えば天井埋込み型照明器具は、額縁状（箱型状）の枠体と、この枠体内に配置してある反射板とを備えている。上記枠体を構成している縦横の枠部材の結合や反射板を構成している主反射板部材と両側板部材との結合は、溶接によって接続しているものがある（例えば特開平８−６９７０４号公報の図４及び図５開示の従来例、実公平２−８３３８号公報参照）。溶接による部材の接続方法を用いる照明器具にあっては、組み立てに手間と熟練を必要とする課題があった。
この課題を解決するために、特開平８−６９７０４号公報の図１〜図３記載の照明器具では溶接によることなく連結部材で照明器具本体を形成する額縁の各隅部を結合する技術的手段が提案されている。
【０００３】
【発明が解決しようとする課題】
額縁の各隅部を連結手段で結合する照明器具においては、各額縁の突き合わせ端部の接合面に隙間が生じ、特に額縁がアルミ部材を用いるものにあっては先端隅部の隙間が開いて先端隅部の納まりが良くなく、照明器具の正面の外観美を損ねていた。
本発明の目的は、簡単な構成により照明器具の隅部の納まりを良くすることにある。
【０００４】
【課題を解決するための手段】
本発明の照明器具は、横枠材と縦枠材とを組み合わせて四角形枠に形成されている照明器具枠体と、この照明器具枠体の隅部に配置してあるコーナー部材と、上記照明器具枠体内に設けてある反射板とを具備しているものである。上記照明器具枠体の隅部は、上記横枠材及び縦枠材の端部が突き合わされて形成されており、上記各横枠材及び各縦枠材の各突き合わせ端部は斜めに切断された切断面と、最先端部が切り落とされた切り欠きとからなり、上記隅部では横枠材及び縦枠材の切断面が互いに対向状態にあると共に、上記切り欠きにより切り欠き開口部が形成されている。上記コーナー部材は、嵌合突部とこの嵌合突部から異なる方向に伸びている連結部とからなる平面Ｌ形に形成され、上記嵌合突部が上記照明器具枠体の各隅部の上記切り欠き開口部に嵌合され、上記連結部が結合手段によって上記各横枠材及び各縦枠材の突き合わせ端部間を接続している。
横枠材及び縦枠材の突き合わせ端部における各切断面は例えば４５°その他所定角度斜めに切断されている。横枠材及び縦枠材並びにコーナー部材及び反射板にはアルミ押出し部材や鋼板などが用いられる。照明器具枠体の背面には、横枠材及び縦枠材の底部側を連結固定するための手段として例えば背板を配置してある。反射板を支持するための手段を上記背板に設けるようにすることができる。反射板は一枚で構成するか又は分割して中央反射板とこの中央反射板を挟んで配置されている側面反射板とからなるものが用いられる。
本発明の照明器具の製法は、アルミ押出し基材から平面四角形の照明器具枠体を組み立てるために用いる横枠材及び縦枠材に対応する寸法の横枠基材及び縦枠基材をそれぞれ一対ずつ切断し、切断方向は上記アルミ押出し基材の長さ方向に対して４５°の角度であり、切断後、上記横枠基材と縦枠基材の各端部の先端部を切り落として切り欠きを有する横枠材及び縦枠材を製作し、その後、上記横枠材と縦枠材の各端部の切断面を突き合わせてから、突き合わせ端部間に上記切り欠きにより形成されている切り欠き開口部にコーナー部材の嵌合突部を嵌め込んで連結部と結合手段とによって上記横枠材と縦枠材の突き合わせ端部間を接続して上記照明器具枠体を組み立て、組立て後、照明器具枠体内に中央反射板を配置すると共に、この中央反射板の両側に側面反射板を配置し、上記側面反射板の幅方向の片側端部を上記横枠材と縦枠材の内周に設けてある板支持溝に差し入れるものである。
【０００５】
【作用】
照明器具枠体の隅部における横枠材及び縦枠材の突き合わせ端部に形成される切り欠き開口部にコーナー部材の嵌合突部が嵌め込まれて、隅部の先端角部に嵌合突部が位置することになり、隅部の納まりが良くなり、正面からの照明器具の外観美が損なわれるのを防止することができる。
【０００６】
【発明の実施の形態】
図面を参照して本発明の実施の形態を説明する。
図１〜図３に示す本発明に係る照明器具は、照明器具枠体１、コーナー部材２、反射板（中央反射板３、側面反射板４）、背板５，６、取付け板７及び棒状の蛍光灯８を具備している。
照明器具枠体１は対の横枠材９，９と対の縦枠材１０，１０とを組み合わせて四角形の枠に形成されているものである。各横枠材９及び各縦枠材１０はいずれもアルミ押出し部材からなり、長さを除いて互いに同一構成である。図示の例では横枠材９の長さは縦枠材１０のそれよりも短い。各横枠材９及び各縦枠材１０は、図４〜図６に示すように側面部９ａ，１０ａ、張出し部９ｂ，１０ｂ及び背面部９ｃ，１０ｃからなる断面ほぼクランク形状に成形されている。側面部９ａ，１０ａを挟んで照明器具枠体１の開口側即ち正面側（図４下面側、図６左面側）に張出し部９ｂ，１０ｂが、その反対側に背面部９ｃ，１０ｃが接続されている。各側面部９ａ，１０ａは照明器具枠体１の側壁を形成し、内側に板支持溝９ａ１，１０ａ１が形成され、全ての板支持溝が照明器具枠体の内周全周に連続されている。張出し部９ｂ，１０ｂは外側に溝形に折り曲げられ、照明器具枠体１の開口縁を形成している。背面部９ｃ，１０ｃは照明器具枠体１の底部を形成しており、照明器具枠体１の中心に向けて突出している端部が支持段部９ｃ１，１０ｃ１となっている。
図３、図７及び図８に示すように、照明器具枠体１の隅部における横枠材９及び縦枠材１０の突き合わせ端部は、いずれも４５°の角度で切断された切断面９ｄ，１０ｄとなっていると共に、最先端部が切り落とされた切り欠き９ｅ，１０ｅとなっている。横枠材９の突き合わせ端部の切断面９ｄと縦枠材１０の突き合わせ端部の切断面１０ｄとが互いに対向している。照明器具枠体１の各隅部には切り欠き９ｅ，１０ｅの存在によって切り欠き開口部１１が形成されている。
【０００７】
コーナー部材２は、図１、図７〜図１０に示すように、結合手段（図示の例では連結ピン１２）と共に、照明器具枠体１の各隅部における横枠材９及び縦枠材１０の突き合わせ端部間を連結している。コーナー部材２は、照明器具枠体１の各隅部の背面側（図９上面側）に配置されている。各コーナー部材２は嵌合突部２ａと、この嵌合突部から直交する方向に伸びている連結部２ｂ，２ｂとからなる平面Ｌ形のアルミ部材を使用している。嵌合突部２ａは切り欠き開口部１１に嵌合され、図２及び図８に示すように、照明器具枠体１の各隅部の正面からの外観の納まりを良くすることに役立っている。各連結部２ｂは各横枠材９及び各縦枠材１０の突き合わせ端部間に渡され、アルミ部材からなる連結ピン１２によって突き合わせ端部間が接続されている。各連結ピン１２は照明器具枠体１の各隅部における横枠材９及び縦枠材１０の突き合わせ端部のピン孔９ｂ１，１０ｂ１及び連結部２ｂのピン孔２ｂ１に挿入してから、頭部及び先端部から押圧力をかけて変形させて、上記連結部と、横枠材９及び縦枠材１０の突き合わせ端部とを一体化する。
【０００８】
図１〜図５に示すように、反射板は中央部に位置している中央反射板３と、この中央反射板を挟んで位置している側面反射板４，４とからなり、照明器具枠体１内に配置されている。中央反射板３は照明器具枠体１の開口側に向けて突出されたＶ字形に折り曲げられたアルミ部材によって形成されている。中央反射板３には、その長さ方向の両端部側にかつ頂部を挟んで対の掛止め孔３ａ，３ａが開けられている。中央反射板３は掛止め孔３ａ，３ａを通じて掛止め保持具１３によって掛止め状態で保持されている（図４）。掛止め保持具１３は図４及び図５に示すように、背板５，５に固着されている。掛止め保持具１３は鳩尾状のばね板で構成されている。掛止め保持具１３の照明器具枠体１の開口側の端部は外側に折り曲げられているフック１３ａ，１３ａを有している。両フック１３ａは中央反射板３の掛止め孔３ａに取外し可能に掛け止められている。
各側面反射板４は、への字形に折り曲げられたアルミ部材によって形成されている。図４に示すように、各側面反射板４の幅方向の外側は照明器具枠体１の開口側に向けて傾斜され、片側端部は各縦枠材１０の板支持溝１０ａ１に所定のばね性をもって係合されている。各側面反射板４の長さ方向の両端部は横枠材９にビス止めされている。各側面反射板４の幅方向の内側端部は水平に伸びており、縦枠材１０の支持段部１０ｃ１との間に隙間１４（図４）が開けられている。中央反射板３の幅方向の両端部は各側面反射板４の幅方向の端部と重ねられており、中央反射板は各側面反射板４を跨いて配置されている。
【０００９】
図１〜図５に示すように、アルミ部材からなる背板５及び背板６は照明器具枠体１の底部側（図４上側）にかつ、背板５は照明器具枠体の長さ方向の両端側に、背板６は両背板５の中間にそれぞれ配置されている。両背板５はいずれもその外周三辺が横枠材９及び縦枠材１０における背面部９ｃ，１０ｃの支持段部に９ｃ１，１０ｃ１に載せられ、また背板６はその両端部が縦枠材１０における背面部１０ｃの支持段部１０ｃ１に載せられ、いずれもピン止めされている。背板５及び背板６は照明器具枠体１（横枠材９及び縦枠材１０）の底部側を結合する固定板である。また両背板５の正面（前面）には、上述したように掛止め保持具１３を固定してあり、これらの掛止め保持具を介して中央反射板３を支持している。また背板６は正面（前面）にはインバータ１５を取り付けてあり、このインバータが蛍光灯８と電気的に接続されている。
【００１０】
図１、図３及び図１１〜図１２に示すように、取付け板７は照明器具枠体１の底部側（図１２上側）にかつ、背板５と背板６との間にしかも背板６を挟んで図１１矢印方向に移動可能にそれぞれ配置されている。各取付け板７は長方形状のアルミ板材からなり、中央部に吊りボルト用の取付け孔７ａを開けてある。各取付け板７は、図１１左右方向の両端部側に取付け部７ｂを設け、この取付け部の内側にスライド支持溝７ｃ（図１２）を形成している。図１１及び図１２に示すように、取付け板７の両端部は隙間１４に差し込まれ、スライド支持溝７ｃ内に縦枠材１０の支持段部１０ｃ１が差し込まれている。このため、各取付け板７は支持段部１０ｃ１を案内手段として図１１上下方向に移動可能となり、吊りボルトの配置位置に対応して吊りボルト用の取付け孔７ａの位置を調整することができる。
【００１１】
蛍光灯８は横枠材９の内側に取り付けられているソケット１６（図２）に取外し可能に取り付けてある。蛍光灯８として直径の小さいもの、例えば１６ｍｍ程度の小径のものを用いれば、軽量化や省資源に寄与する。
【００１２】
次に、照明器具の製法について説明する。
図１３に示すアルミ押出し基材Ｍから照明器具枠体１の横枠材９及び縦枠材１０に対応する寸法の横枠基材９Ａ及び縦枠基材１０Ａに切り出す。切り出す際には、切断線Ｃの切断方向をアルミ押出し基材Ｍの長さ方向に対して斜め４５°とする。
切出し後、各横枠基材９Ａ及び各縦枠基材１０Ａの４５°に切断された両端部の先端部に対して水平の切断線Ｃ１を入れて、最先端部を切り落とす。
そして各横枠基材９Ａ及び各縦枠基材１０Ａの所定位置にピン孔９ｂ１，１０ｂ１及び背板取付け用のピン孔９ｃ２，１０ｃ２を開けて、横枠材９と縦枠材１０を形成する（図１４）。
その後、図１４に示すように、横枠材９と縦枠材１０を組み合わせて、各端部を突き合わせ、各隅部の背面側からコーナー部材２を配置し、配置後、各コーナー部材を介して上記横枠材と縦枠材の各突き合わせ端部間を連結ピン１２を用いて接続して照明器具枠体１の組み立てを終える。
コーナー部材２の配置時には、照明器具枠体１の隅部の切り欠き開口部１１にコーナー部材２の嵌合突部２ａを嵌合し、張出し部１０ｂの背面上に連結部２ｂを載せ、連結ピン１２を用いてコーナー部材２を介して横枠材９及び縦枠材１０の突き合わせ端部間を連結固定する。
組立て後、照明器具枠体１内の両側に側面反射板４を配置し、幅方向の片側端部を板支持溝１０ａ１に差し入れ、長さ方向の両端部をビス止めし、側面反射板間に中央反射板３を配置し、掛止め保持具１３によって保持する。
【００１３】
本照明器具は、取付け板７及び吊りボルト（図示せず。）によって天井などに吊下げられ保持されるものである。吊下げる際には、予め吊下げられている吊りボルトの真下に両取付け板７の取付け孔７ａが位置するように、取付け板７を図１及び図１１の上下方向に移動させて、位置を調整する。調整後、ナットを用いて吊りボルトと取付け板７とを連結する。
図１の例では機能を異にする背板５と取付け板７を別々に設けているが、図１５に示すように背板５に吊りボルト用の取付け用孔５ａを設けてもよい。この場合には上記取付け板７のような手段は必ずしも設けなくても良い。
【００１４】
中央反射板３は図３の例では一枚のみであったが、複数枚、例えば図１６に示す例では２枚用いても良い。この場合には蛍光灯が３本以上の場合に有効である。中央反射板３の枚数に対応して、図１６に示す例では平板状の補助反射板４Ａが追加されている。
反射板は、中央反射板３と側面反射板４とを一体化した一枚のアルミ部材などの板材で構成してもよい。
【００１５】
図１に示す照明器具において、横枠材９と縦枠材１０とを組み合わせている照明器具枠体１、中央反射板３及び側面反射板４にアルミ部材を用いることにより、廃棄後の再利用が容易になるから廃棄物削減に寄与し、その上、コーナー部材２も同様の素材を使用すれば上記効果が一層図られる。
そして、アルミ部材からなる横枠材９及び縦枠材１０の突き合わせ端部に切り欠き開口部１１を設けて、この切り欠き開口部１１にコーナー部材２の嵌合突部２ａを嵌め込むことにより、突き合わせ端部に生ずる合わせ面の隙間の課題を解消でき、照明器具枠体１の隅部の外観が良くなる。
さらに、長さを除いて同一構成である横枠材９と縦枠材１０とを組み合わせて照明器具枠体１を形成でき、この照明器具枠体の隅部にコーナー部材２を配置し、中央反射板３を掛止め保持具１３で支持し、側面反射板４の片側端部を縦枠材１０の板支持溝１０ａ１に支持しているので、本照明器具の構造が単純化される。このために本照明器具の組み立て分解が容易となる。
【００１６】
横枠材９及び縦枠材１０の突き合わせ端部における各切断面９ｄ，１０ｄは例えば４５°その他所定角度斜めに切断されている。図３に示すように４５°に設定すれば、アルミ押出し基材Ｍからの横枠材９及び縦枠材１０に対応する寸法の横枠基材９Ａ及び縦枠基材１０Ａの切り出しが容易となり、構成及び組み立てが単純化される。さらに、横枠材９及び縦枠材１０を等しい長さに設定すれば、製造組立てが一層容易となる。
図示する例では、結合手段として連結ピン１２を用いているが、連結ピンには限定されない。例えばコーナー部材２の各連結部２ｂの上面に凹部を形成しておくと共に、張出し部９ｂ，１０ｂの立ち上がり部上端を延伸して側面部９ａ，１０ａ側に水平に折り曲げた突片を設けておき、接続時にこの突片と上記凹部を重合するようにして上下方向から押圧するようにしてもよい。
【００１７】
【発明の効果】
本発明によれば、照明器具枠体の隅部における切り欠き開口部に隅部に配置されるコーナー部材の嵌合突部が嵌め込まれるから、上記隅部の納まりが良くなり、正面からの照明器具の外観美を簡単な構成によって維持できる。
【図面の簡単な説明】
【図１】本発明の実施の形態に係る照明器具を示す背面図である。
【図２】本発明の実施の形態に係る照明器具を示す正面図である。
【図３】本発明の実施の形態に係る照明器具を分解した状態を示す正面図である。
【図４】図１のＩＶ−ＩＶ線拡大断面図である。
【図５】図４における分解図である。
【図６】図１のＶＩ−ＶＩ線拡大断面図であって、照明器具枠体のみを実線で示している図である。
【図７】本発明の実施の形態に係る照明器具の一端側を示す拡大背面図であって、１つの隅部におけるコーナー部材を外している状態を示す図である。
【図８】本発明の実施の形態に係る照明器具の一端側を示す拡大正面図であって、１つの隅部におけるコーナー部材を外している状態を示す図である。
【図９】図１のＩＸ−ＩＸ線拡大断面図である。
【図１０】図１のＸ−Ｘ線拡大断面図である。
【図１１】取付け板の取付け状態を示す一部切欠拡大背面図である。
【図１２】図１１のＸＩＩ−ＸＩＩ線拡大端面図である。
【図１３】照明器具枠体の製造工程中の切り出し工程を示す背面図である。
【図１４】照明器具枠体の製造工程中の組立て工程を示す背面図である。
【図１５】背板の他の実施の形態を示している照明器具の一端側における拡大背面図であって、１つの隅部におけるコーナー部材を外している状態を示す図である。
【図１６】反射板の他の実施の形態を拡大して示している分解図である。
【符号の説明】
１                  照明器具枠体
２                  コーナー部材
２ａ                嵌合突部
２ｂ                連結部
２ｂ１              ピン孔
３                  中央反射板（反射板）
３ａ                掛止め孔
４                  側面反射板（反射板）
５，６              背板
７                  取付け板
８                  蛍光灯
９                  横枠材
１０                縦枠材
９ａ，１０ａ        側面部
９ａ１，１０ａ１    板支持溝
９ｂ，１０ｂ        張出し部
９ｂ１，１０ｂ１    ピン孔
９ｃ，１０ｃ        背面部
９ｃ１，１０ｃ１    支持段部
９ｄ，１０ｄ        切断面
９ｅ，１０ｅ        切り欠き
９Ａ                横枠基材
１０Ａ              縦枠基材
１１                切り欠き開口部
１２                連結ピン（結合手段）
１３                掛止め保持具
Ｃ，Ｃ１            切断線
Ｍ                  アルミ押出し基材
【図１】
2004227982.tif 000003
【図２】
2004227982.tif 000004
【図３】
2004227982.tif 000005
【図４】
2004227982.tif 000006
【図５】
2004227982.tif 000007
【図６】
2004227982.tif 000008
【図７】
2004227982.tif 000009
【図８】
2004227982.tif 000010
【図９】
2004227982.tif 000011
【図１０】
2004227982.tif 000012
【図１１】
2004227982.tif 000013
【図１２】
2004227982.tif 000014
【図１３】
2004227982.tif 000015
【図１４】
2004227982.tif 000016
【図１５】
2004227982.tif 000017
【図１６】
2004227982.tif 000018